(57)【要約】
【課題】安全で使い勝手のよいコイン包装開封器を提供することである。
【解決手段】円柱状のコイン包装体Ａの外周面に互いに異なる円周方向位置で係合する係合片２、３を把手４と一体に形成して、両係合片２、３の係合面２ａ、３ａに鋸状の歯５を設けることにより、開封器１および包装体Ａを手に持ち、両係合片２、３と包装体Ａとを係合させた状態で包装体Ａの円柱中心軸のまわりに相対回動させて、両係合片２、３の歯５で包装シートａを破断できるようにして、開封作業の安全性を確保するとともに、準備にも手間がかからないようにしたのである。
【選択図】図１
0003099751.tif 000002
【実用新案登録請求の範囲】
【請求項１】
　積み重ねた複数のコインの外周に包装シートを巻いた円柱状のコイン包装体を開封するコイン包装開封器において、前記コイン包装体の外周面に互いに異なる円周方向位置で係合する２つの係合片を備え、これらの両係合片の少なくとも一方が前記コイン包装体との係合面に鋸状の歯を有しており、前記両係合片と前記コイン包装体とを係合させて包装体の円柱中心軸のまわりに相対回動させることにより、前記歯で前記包装シートを破断するようにしたことを特徴とするコイン包装開封器。
【請求項２】
　前記両係合片を、それぞれの係合面どうしが所定の角度をなすように一体に形成したことを特徴とする請求項１に記載のコイン包装開封器。
【請求項３】
　前記一体に形成した両係合片の係合面と反対の側に把手を設けたことを特徴とする請求項２に記載のコイン包装開封器。
【請求項４】
　前記両係合片を、それぞれの係合面どうしが対向して接離するように、支軸に回動自在に取り付けたことを特徴とする請求項１に記載のコイン包装開封器。
【請求項５】
　前記両係合片の少なくとも一方の係合面を、前記コイン包装体の外周面に沿う凹状に形成したことを特徴とする請求項１乃至４のいずれかに記載のコイン包装開封器。
【考案の詳細な説明】
【技術分野】
【０００１】
　この考案は、硬貨等のコインを積み重ねて合成樹脂シート等で包装したコイン包装体を開封するためのコイン包装開封器に関する。
【背景技術】
【０００２】
　一般に、スーパーマーケット等の店舗のレジ係では、積み重ねた硬貨の外周に包装シートを巻いた包装体を金種別に準備しておき、随時この硬貨包装体を開封して釣銭用の硬貨の補充を行っている。この硬貨包装体を開封するときには、従来から、レジスタ台の角部等に包装体を打ちつけて包装シートを破るようにしている。
【０００３】
　しかし、このような硬貨包装体の開封方法では、包装体をレジスタ台等に打ちつけたときに、大きな衝撃音が顧客に不快感を与えることがあるし、コインが飛び散るおそれもある。
【０００４】
　また、最近では、レジスタ台にＰＯＳ端末等のＯＡ機器が設置されていることが多く、硬貨包装体をレジスタ台に打ちつけたときの衝撃がＯＡ機器の故障を引き起こすおそれがある。このため、ＯＡ機器に悪影響を与えないように、カッタナイフ等の刃物で包装シートを切ることも考えられるが、刃物を使用すると、誤って指等を傷つける危険性があり、好ましくない。
【０００５】
　一方、刃物を使わずに硬貨等のコインの包装体を容易に開封できるものとして、種々の装置や器具が提案されている。しかし、その多くは、包装シートを切断する刃を、包装体の外周面に押しつけながら包装体長手方向に沿って相対移動させるものであって（例えば、特許文献１参照。）、切断刃がコインとの摺動により切れにくくなりやすいので、頻繁に切断刃を交換する必要がある。
【特許文献１】特開平１１−９１７４７号公報　これに対して、包装シートを包装体の長手方向と直交する方向に切るようにすれば（特許文献２参照。）、切断刃の交換はほとんど必要なくなる。
【特許文献２】特開平８−２０７９１２号公報（図８、９）　しかしながら、この特許文献２に記載の開封装置は、基台上に設けた切断刃に包装体を押しつけて包装シートを切るようになっているので、店舗のレジ係で開封作業を行う場合には、レジスタ台上に基台を置く場所を確保するのに手間がかかって、顧客を待たせる時間が長くなりやすく、必ずしも使い勝手がよいとは言えない。また、切断刃が基台上に露出した状態で取り付けられているため、取り扱い時にケガをするおそれもある。
【考案の開示】
【考案が解決しようとする課題】
【０００６】
　この考案の課題は、安全で使い勝手のよいコイン包装開封器を提供することである。
【課題を解決するための手段】
【０００７】
　上記の課題を解決するため、この考案は、積み重ねた複数のコインの外周に包装シートを巻いた円柱状のコイン包装体を開封するコイン包装開封器において、前記コイン包装体の外周面に互いに異なる円周方向位置で係合する２つの係合片を備え、これらの両係合片の少なくとも一方が前記コイン包装体との係合面に鋸状の歯を有しており、前記両係合片と前記コイン包装体とを係合させて包装体の円柱中心軸のまわりに相対回動させることにより、前記歯で前記包装シートを破断するようにしたのである。
【０００８】
　すなわち、コイン包装体を開封するときは、開封器および包装体を手に持って開封器の２つの係合片を包装体の外周面に係合させ、両係合片と包装体とを互いに滑らないようにした状態で包装体の円柱中心軸のまわりに相対回動させることにより、係合片の鋸状の歯で包装シートを破断するようにして、開封作業の安全性を確保し、準備にも手間がかからないようにしたのである。
【０００９】
　上記の構成においては、前記両係合片を、それぞれの係合面どうしが所定の角度をなすように一体に形成したり、それぞれの係合面どうしが対向して接離するように支軸に回動自在に取り付けたりして、両係合片をコイン包装体の外周面に互いに異なる円周方向位置で係合させることができる。両係合片を一体に形成する場合は、両係合片の係合面と反対の側に把手を設ければ、両係合片と包装体との相対回動をより容易に行えるようになる。　
【００１０】
　また、前記両係合片の少なくとも一方の係合面を、前記コイン包装体の外周面に沿う凹状に形成することにより、両係合片で包装体を確実に保持するようにして、より安全に開封作業が行えるようにすることができる。
【考案の効果】
【００１１】
　以上のように、この考案のコイン包装開封器は、２つの係合片をコイン包装体の外周面に係合させ、両係合片と包装体とを相対回動させることにより、係合片の鋸状の歯で包装シートを破断するようにしたものであるから、開封作業を安全に行えるし、準備に手間がかからず使い勝手がよい。
【考案を実施するための最良の形態】
【００１２】
　以下、図１乃至図４に基づき、この考案の実施形態を説明する。図１（ａ）、（ｂ）は、円柱状のコイン包装体Ａを第１の実施形態のコイン包装開封器１で開封するときの状態を示す。コイン包装体Ａは、積み重ねた複数のコイン（この例では、１００円硬貨）の外周に合成樹脂製の包装シートａを巻いたもので、中身のコインは、硬貨に限らず、硬貨の代用となるコイン等であってもよい。
【００１３】
　このコイン包装開封器１は、ステンレス鋼板を概ねＴ字状に形成したもので、コイン包装体Ａに係合する２つの係合片２、３と把手４とが一体となっている。なお、開封器１の素材は、ステンレス鋼に限らず、プラスチック等を採用することもできる。
【００１４】
　前記両係合片２、３は、コイン包装体Ａの外周面に互いに異なる円周方向位置で係合するように、それぞれの係合面２ａ、３ａどうしが直交しており、両方の係合面２ａ、３ａに鋸状の歯５が多数設けられている。
【００１５】
　また、前記把手４は、両係合片２、３の係合面２ａ、３ａと反対の側に形成され、両係合片２、３を包装体Ａと係合させた状態で包装体Ａの円柱中心軸のまわりに相対回動させやすいようになっている。
【００１６】
　この開封器１でコイン包装体Ａを開封するときは、まず、図１（ｂ）に示したように、片手で開封器１の把手４を持ち、もう一方の手で包装体Ａを持って、開封器１の両係合片２、３の係合面２ａ、３ａを包装体Ａの外周面に押しつけて係合させる。この状態で開封器１を包装体Ａの円柱中心軸のまわりに回動させることにより、両係合片２、３の歯５で包装シートａの一部を破ることができる。なお、このときには、包装体Ａの方を回動させるようにしてもよいし、開封器１と包装体Ａの両者を互いに逆方向に回動させてもよい。そして、包装シートａの一部が長手方向と直交する方向に破れると、包装体Ａは手で簡単に２分割でき、その分割面からコインを飛び散らないように取り出せる。
【００１７】
　上述のように、この開封器１による開封作業では、開封器１およびコイン包装体Ａを手に持って作業ができるので、従来のようにレジスタ台の上を片づけて開封器を置くためのスペースを確保する必要がなく、準備に手間がかからない。
【００１８】
　なお、レジスタ台上に適当な空きスペースがあれば、そこに包装体Ａを置いて作業を行うこともできる。その場合は、両係合片の係合面がなす角度を９０°よりも広くするか、少なくとも一方の係合片を短くすれば、両係合片を回動させたときにもレジスタ台と接触しにくくなり、作業がしやすくなる。
【００１９】
　また、包装シートａを鋸状の歯５で破るようにしているため、切断刃を使用する場合よりも安全に開封ができる。しかも、開封器１は、２つの係合片２、３を包装体Ａと確実に係合させた状態でわずかに回動させるだけなので、直線的に押したり引いたりする場合よりも包装体Ａから外れにくく、歯５で指等を傷つける心配もない。
【００２０】
　図２乃至図４は、第２の実施形態のコイン包装開封器６の使用状態を示す。図２に示す開封器６は、２つの係合片７、８の一端部を、それぞれの係合面７ａ、８ａどうしが対向して接離するように、支軸９に回動自在に取り付けたものである。両係合片７、８の係合面７ａ、８ａは、包装体Ａの外周面に沿う凹状に形成され、それぞれに鋸状の歯１０が多数設けられている。また、両係合片７、８の他端側には把手１１、１１が設けられ、片手でコイン包装体Ａを安定して挟めるようになっている。
【００２１】
　この開封器６を使用するときは、両係合片７、８の間にコイン包装体Ａを挟んで把手１１、１１を握ることにより、両係合片７、８と包装体Ａとを係合させ、両者を図１について説明したのと同様に相対回動させればよい。
【００２２】
　図３は、把手の取付位置の変形例を示す。この例では、両係合片７、８を支軸９取付位置と反対側に延長して環状の把手１２、１２を形成しており、一般的な鋏と同様に把手１２、１２を握ってコイン包装体Ａを挟めるようになっている。　図４は、図３の例と同様の把手を形成したうえ、一方の係合片の係合面形状を変えた例を示す。この変形例では、図４（ａ）、図４（ｂ）に示すように、一方の係合片７の先端部を両側に拡張して、コイン包装体Ａの長手方向に沿って延びる凹円弧状の係合面１３ａを有する包装体保持部１３を形成し、包装体Ａをより安定して挟めるようにしている。また、この保持部１３は、図４（ａ）、図４（ｃ）に示すように、その幅が包装体Ａの長さよりも短く、包装体Ａの保持部１３からはみ出した部分を片手で持って相対回動させられるようになっている。
【００２３】
　なお、一方の係合片の保持部の係合面形状は、必ずしも円弧状に限らず、コイン包装体Ａを安定して保持できる凹状になっていればよい。また、両係合片に、包装体Ａ長手方向に沿って延びる凹状の係合面を有する包装体保持部を設けて、そのうちの少なくとも一方に鋸状の歯を設けることもできる。
【００２４】
　上述した各実施形態では、２つの係合片をコイン包装体の外周面に係合させたが、係合片の数を３つ以上として、開封器と包装体とがより滑りにくいようにすることもできる。
【図面の簡単な説明】
【００２５】
【図１】ａおよびｂは、第１の実施形態の開封器の使用状態を示す斜視図および正面図
【図２】第２の実施形態の開封器の使用状態を示す正面図
【図３】図２の開封器の変形例の使用状態を示す正面図
【図４（ａ）】図２の開封器の他の変形例の使用状態を示す斜視図
【図４（ｂ）】図２の開封器の他の変形例の使用状態を示す正面図
【図４（ｃ）】図２の開封器の他の変形例の使用状態を示す平面図
【符号の説明】
【００２６】
１　開封器
２、３　係合片
２ａ、３ａ　係合面
４　把手
５　歯
６　開封器
７、８　係合片
７ａ、８ａ　係合面
９　支軸
１０　歯
１１、１２　把手
１３　保持部
１３ａ　係合面
Ａ　コイン包装体
ａ　包装シート
【図１】
0003099751.tif 000003
【図２】
0003099751.tif 000004
【図３】
0003099751.tif 000005
【図４（ａ）】
0003099751.tif 000006
【図４（ｂ）】
0003099751.tif 000007
【図４（ｃ）】
0003099751.tif 000008
【手続補正書】
【提出日】平成15年8月28日(2003.8.28)
【手続補正１】
【補正対象書類名】明細書
【補正対象項目名】０００５
【補正方法】変更
【補正の内容】
【０００５】
　一方、刃物を使わずに硬貨等のコインの包装体を容易に開封できるものとして、種々の装置や器具が提案されている。しかし、その多くは、包装シートを切断する刃を、包装体の外周面に押しつけながら包装体長手方向に沿って相対移動させるものであって（例えば、特許文献１参照。）、切断刃がコインとの摺動により切れにくくなりやすいので、頻繁に切断刃を交換する必要がある。
　これに対して、包装シートを包装体の長手方向と直交する方向に切るようにすれば（特許文献２参照。）、切断刃の交換はほとんど必要なくなる。
　しかしながら、この特許文献２に記載の開封装置は、基台上に設けた切断刃に包装体を押しつけて包装シートを切るようになっているので、店舗のレジ係で開封作業を行う場合には、レジスタ台上に基台を置く場所を確保するのに手間がかかって、顧客を待たせる時間が長くなりやすく、必ずしも使い勝手がよいとは言えない。また、切断刃が基台上に露出した状態で取り付けられているため、取り扱い時にケガをするおそれもある。
【特許文献１】特開平１１−９１７４７号公報
【特許文献２】特開平８−２０７９１２号公報（図８、９）
【手続補正２】
【補正対象書類名】明細書
【補正対象項目名】００２２
【補正方法】変更
【補正の内容】
【００２２】
　図３は、把手の取付位置の変形例を示す。この例では、両係合片７、８を支軸９取付位置と反対側に延長して環状の把手１２、１２を形成しており、一般的な鋏と同様に把手１２、１２を握ってコイン包装体Ａを挟めるようになっている。
　図４は、図３の例と同様の把手を形成したうえ、一方の係合片の係合面形状を変えた例を示す。この変形例では、図４（ａ）、図４（ｂ）に示すように、一方の係合片７の先端部を両側に拡張して、コイン包装体Ａの長手方向に沿って延びる凹円弧状の係合面１３ａを有する包装体保持部１３を形成し、包装体Ａをより安定して挟めるようにしている。また、この保持部１３は、図４（ａ）、図４（ｃ）に示すように、その幅が包装体Ａの長さよりも短く、包装体Ａの保持部１３からはみ出した部分を片手で持って相対回動させられるようになっている。